(57)【要約】【課題】気軽に自分の好みの芳香を楽しむ。【解決手段】持ち運び可能なケース３と、そのケース３に収容されて該ケース３の外部に芳香を放つ任意の香料を保持させるパフュームボトム６とを備えてなる。ケース３は、パフュームボトム６を出し入れ可能に収容する収容凹部８を有するケース本体１０と、そのケース本体１０に着脱自在に設けられ、収容凹部８を閉塞する蓋１２とからなることが好ましい。ケース３の一部に、ケース３を任意の箇所に取り付けるための取付手段１８を設けることが好ましい。ケースに、該ケースを傾倒自在に支持すると共に、他の部材に取り付けるための取付手段を有する支持部材を設けることが好ましい。【選択図】        図２
2004209005.tif 000002
【特許請求の範囲】
【請求項１】
持ち運び可能なケースと、そのケースに収容されて該ケースの外部に芳香を放つ任意の香料を保持させるパフュームボトムとを備えたことを特徴とするオリジナルパフューム揮発器。
【請求項２】
前記ケースが、前記パフュームボトムを出し入れ可能に収容する収容凹部を有するケース本体と、そのケース本体に着脱自在に設けられ、前記収容凹部を閉塞する蓋とからなる請求項１に記載のオリジナルパフューム揮発器。
【請求項３】
前記ケースの一部に、該ケースを任意の箇所に取り付けるための取付手段を設けた請求項１又は２に記載のオリジナルパフューム揮発器。
【請求項４】
前記ケースに、該ケースを傾倒自在に支持すると共に、他の部材に取り付けるための取付手段を有する支持部材を設けた請求項１又は２に記載のオリジナルパフューム揮発器。
【請求項５】
前記パフュームボトムが、任意の香水を保持させる海綿体状物の保持体である請求項１乃至４のいずれか１項に記載のオリジナルパフューム揮発器。
【請求項６】
吊下げ部材が取り付けられ、芳香を放つ任意の香料を保持させるパフュームボトムを備えたことを特徴とするオリジナルパフューム揮発器。
【請求項７】
前記パフュームボトムが、紙、パルプ、海綿体状物からなる保持体である請求項６に記載のオリジナルパフューム揮発器。
【請求項８】
前記パフュームボトムが、無香である請求項１乃至７のいずれか１項に記載のオリジナルパフューム揮発器。
【請求項９】
前記パフュームボトムが、前記香料の放香を妨げない微香である請求項１乃至７のいずれか１項に記載のオリジナルパフューム揮発器。
【請求項１０】
前記パフュームボトムが、前記香料を繰り返し保持し得る保持体である請求項１乃至９のいずれか１項に記載のオリジナルパフューム揮発器。
【発明の詳細な説明】
【０００１】
【発明の属する技術分野】
本発明は、気軽に自分の好みの芳香を楽しめるオリジナルパフューム揮発器に関するものである。
【０００２】
【従来の技術】
芳香を楽しむものとしては身体や衣服に適量つける香水、トイレ・居間等の建物内や自動車の車内で使用される芳香器等が知られている。
香水は、ガラス等の透明な容器に入れられており、使用するときに適量例えば手首等の肌に直接つけて使用されるものである。
芳香器は、芳香剤を内部に収容したケースを水平面上に設置したり、フック等を使用して棒等に吊り下げたり、粘着部を使用して任意の箇所に固着したりして、居住空間や車内空間を快適化するものである。
【０００３】
【発明が解決しようとする課題】
ところで、香水は、所望の芳香を放つものを選ぶことができるが、直接手首等の肌につける場合、その香水がついた手首等に衣服が密接すると衣服に香水がしみ込み、衣服に香水を直接つける場合と同様にその衣服を念入りに洗濯したり、クリーニングに出したりしないと、衣服から香水を除去できない。また、一度香水を手首につけてから他の香水をつけたい場合には、つけた香水の匂いを消すには石けん等の洗浄剤を用いて念入りに洗浄しないと、落ちないので、手間がかかりすぎる。
【０００４】
また、芳香器は、芳香を放つ芳香剤をケースの内部に収容しているため、芳香剤が直接衣服等につくことはないが、芳香器に用いられる芳香剤としては種類がすくない。しかも、芳香器に用いられる芳香剤の芳香は、香水に比べて芳香を楽しくというよりはむしろ悪臭を抑えるものであり、芳香を楽しむという点では好ましいものではなかった。
【０００５】
そこで、本発明は、このような実情に鑑みなされたものであり、その目的は、気軽に自分の好みの芳香を楽しむことができるオリジナルパフューム揮発器を提供することにある。
【０００６】
【課題を解決するための手段】
前記目的を達成するために、本発明のオリジナルパフューム揮発器は、持ち運び可能なケースと、そのケースに収容されて該ケースの外部に芳香を放つ任意の香料を保持させるパフュームボトムとを備えたものである。
前記ケースが、前記パフュームボトムを出し入れ可能に収容する収容凹部を有するケース本体と、そのケース本体に着脱自在に設けられ、前記収容凹部を閉塞する蓋とからなることが好ましい。
前記ケースの一部に、該ケースを任意の箇所に取り付けるための取付手段を設けることが好ましい。
前記ケースに、該ケースを傾倒自在に支持すると共に、他の部材に取り付けるための取付手段を有する支持部材を設けることが好ましい。
前記パフュームボトムが、任意の香水を保持させる海綿体状物の保持体であることが好ましい。
【０００７】
また、本発明のオリジナルパフューム揮発器は、吊下げ部材が取り付けられ、芳香を放つ任意の香料を保持させるパフュームボトムを備えたものである。
前記パフュームボトムが、紙、パルプ、海綿体状物からなる保持体であることが好ましい。
【０００８】
前記パフュームボトムが、無香であることが好ましい。
前記パフュームボトムが、前記香料の放香を妨げない微香であることが好ましい。
前記パフュームボトムが、前記香料を繰り返し保持し得る保持体であることが好ましい。
【０００９】
【発明の実施の形態】
以下、本発明の実施の形態を添付図面に基づいて詳述する。
図１及び図２には本発明の第１のオリジナルパフューム揮発器が示されている図である。図４及び図５には本発明の第２のオリジナルパフューム揮発器が示されている図である。図１、図２における１及び図４、図５における２はオリジナルパフューム揮発器を示し、このオリジナルパフューム揮発器１、２は、持ち運び可能なケース３、４と、そのケース３、４に収容されて該ケース３、４の外部に芳香を放つ任意の香料５（図３参照）を保持させるパフュームボトム６、７とを備えたものである。
【００１０】
香料５は、芳香を放つ化学物質（天然のものでも合成されたものでもよい）、またはそれら芳香化学物質の混合物であればどのようなものでもよく、天然のものでも合成されたものでもよいが、好ましくは液状のものがよい。具体的には例えば、市販されている香水や芳香剤等が挙げられる。
【００１１】
パフュームボトム６、７は、特に香水等の液状の香料５を保持して、その香料５を自然に徐々に放香させる保持体である。
パフュームボトム（保持体）６、７は、液状の香料５を保持して（含んで、含浸して）、その香料５の全部又はほぼ全部を自然に徐々に放香させることができるならばどのようなものでもよく、特に限定されない。
また、パフュームボトム（保持体）６、７は、無香であるもの又は香料の放香を妨げない微香であるものであることが好ましい。さらに、パフュームボトム（保持体）６、７は、香料を繰り返し保持し得る保持体である（保持させた香料の全部又はほぼ全部が放香した後、同じ香料又は異なる香料を保持することができる）ものであることが好ましい。
【００１２】
パフュームボトム（保持体）６、７の材質としては、例えば、セラミックス等のポーラス物質や、海綿体状物などの吸収物質等であり、具体的には、粘土、陶器、活性炭、ホワイトカーボン、シリカ、ゼオライト、海綿体、紙、パルプ、これらの混合物等が挙げられる。なお、海綿体状物とは、海綿体や海綿体状のものである。
パフュームボトム６、７の形状は、どのように形成してもよく、例えば、円柱状、三角柱状、四角柱状、多角柱状、球体状、楕円体状、立方体状等に形成される。具体的には例えば、図２及び図３に示すように、円柱状（厚みがあるほぼ円盤状）に形成してもよいし、図５に示すように、断面ほぼ円形の棒状に形成してもよい。
【００１３】
ケース３、４は、図１、図２、図４及び図５に示すように、保持させた香料５からの放香をケース３、４の外部に発散させる（放つ）ようにパフュームボトム６、７を収容するものであり、任意の形状のパフュームボトム６、７を収容することができるならば、その大きさや形状はどのように形成してもよい。ケース３、４は、具体的には例えば、図１及び図２に示すように、円柱状（厚みがあるほぼ円盤状）に形成してもよいし、図４及び図５に示すように、細長い円柱状（棒状に近い形状）に形成してもよい
ケース３、４は、図１、図２、図４及び図５に示すように、パフュームボトム６、７を出し入れ可能に収容する収容凹部８、９を有するケース本体１０、１１と、そのケース本体１０、１１に着脱自在に取り付けられ、収容凹部８、９を閉塞する蓋１２、１３とからなることが好ましい。
ケース３、４（ケース本体１０、１１、蓋１２、１３）は、香料５により変色や腐食しない材質により形成するようにする。例えばプラスチック等の樹脂、陶器、ガラスなどである。
【００１４】
まず、図２及び図３に示す円柱状（厚みがあるほぼ円盤状）のパフュームボトム６を収容するケース３（ケース本体１０、蓋１２）について説明する。
図２に示すように、ケース本体１０は、具体的には例えば、側面ほぼ凸状の円盤状に形成されている。ケース本体１０の径が短い端面には、そのほぼ同軸上であって円柱状に窪んで形成された収容凹部８が設けられている。
収容凹部８の径は、パフュームボトム６の径より大きな寸法に形成されていると共に、径方向の長さは、パフュームボトム６の厚さ（径方向の長さ）より大きな寸法好ましくは若干大きな寸法に形成されている。
【００１５】
蓋１２は、図１及び図２に示すように、一端面が閉塞された断面ほぼ凹状の円筒体状に形成されている。蓋１２の内径は、ケース本体１０の径が短い小径部１４の径とほぼ同じ寸法か若干大きな寸法に形成されている。蓋１２の外径は、ケース本体１０の径が長い大径部１５の径とほぼ同じ寸法か若干異なる寸法に形成されている。
蓋１２の内面の径方向の長さは、ケース本体１０の小径部１４の外表面（周面）の径方向の長さとほぼ同じ寸法か若干大きな寸法に形成されており、蓋１２によってケース本体１０の小径部１４が覆われると共に収容凹部８が閉塞されるようになっている。
【００１６】
蓋１２の端面及び周面には、収容凹部８に収容されたパフュームボトム６に保持させた香料５からの放香をケース３の外部に発散させる（放つ）ための放香部１６が設けられている。
放香部１６は、スリットによって形成してもよいし、図示するように孔（芳香孔）であってもよい。芳香孔１６の形状は、例えば、矩形状、円形状、楕円形状、三角形状、多角形状等どのような形に形成してもよい。
【００１７】
ケース本体１０と蓋１２との取付は、容易に蓋１２がケース本体１０から外れないように形成することが好ましく、図２に示すように、係合凹部１７と係合凸部との係合により構成してもよいし、螺合により構成するようにしてもよい。
具体的には例えば、ケース本体１０の小径部１４の周面の一部（全周であってもよい）には、その周方向に沿って断面凹状の係合凹部１７が設けられている。蓋１２の内面には、係合凹部１７と係合する係合凸部（図示せず）が設けられており、蓋１２が容易にケース本体１０から外れないようになっている。
【００１８】
また、ケース本体１０の大径部１５側の端面（装着面）には、ケース３を任意の箇所に取り付けるための取付手段１８が設けられている。
取付手段１８は、ケース３を任意の箇所に取り付けることができるならばどのように構成してもよい。取付手段１８は、例えば、クリップやクリップ状のもので構成してもよいし、液体状又は固体状の粘着剤を塗布等して構成してもよいし、また、図示するように両面粘着テープ１８で構成してもよい。両面粘着テープ１８は、一方の面をケース本体１０の裏面に貼付して、他方の面に容易に剥離可能なシートを有する両面粘着テープを用いることが好ましい。なお、片面に粘着性を有するシート付粘着テープをケース本体１０の裏面に貼付してもよい。
【００１９】
次に、図５に示す断面ほぼ円形の棒状のパフュームボトム７を収容するケース４（ケース本体１１、蓋１３）について説明する。
図４及び図５に示すように、ケース本体１１は、具体的には例えば、細長のほぼ円筒形状に形成されている。ケース本体１１の一方の端面は、閉塞され、かつ、その近傍と共に径が他より小さい寸法に形成されて、固定部材取付部２０として形成されている。
固定部材取付部２０以外のケース本体１１は、その内径が棒状のパフュームボトム７の外径より大きな寸法に形成されていると共に、その軸方向の長さが棒状のパフュームボトム７の軸方向の長さより長い寸法に形成されて、収容凹部９として形成されている。
【００２０】
ケース本体１１の他方の端面の開口部には、着脱自在な蓋１３が取り付けられている。蓋１３は、例えば円柱状に形成されている。
ケース本体１１と蓋１３との取付は、容易に蓋１３がケース本体１１から外れないようにすることができるならばどのように構成してもよく、例えば、係合凹部と係合凸部との係合により構成してもよいし、螺合により構成するようにしてもよい。
【００２１】
ケース本体１１の周面には、収容凹部９（ケース本体１１内）に収容されたパフュームボトム７に保持させた香料５からの放香をケース４の外部に発散させる（放つ）ための放香部２１が設けられている。
放香部２１は、矩形状、円形状、楕円形状、三角形状、多角形状等の孔を２つ以上設けて構成してもよいし、図示するようにスリットによって構成してもよい。
【００２２】
ケース本体１１の固定部材取付部２０には、ケース４を任意の箇所に取り付けるための支持部材２２が取り付けられている。
支持部材２２は、ケース４を取り付ける取付手段であってもよいが、好ましくは、図示するように、ケース４を傾倒自在に支持すると共に、他の部材に取り付けるための取付手段２３を有するものがよい。
【００２３】
具体的には例えば、支持部材２２は、他の部材に取り付けるための取付手段２３を有するユニバーサルベース２４と、そのユニバーサルベース２４に設けられ、ケース４を傾倒自在に支持するユニバーサルアーム２５とからなる。
ユニバーサルベース２４は、例えば円盤状に形成され、この一方の面に、取付手段２３が設けられている。取付手段２３は、ユニバーサルベース２４（支持部材２２）をを任意の箇所に取り付けることができるならばどのように構成してもよい。取付手段２３は、例えば、クリップやクリップ状のもので構成してもよいし、液体状又は固体状の粘着剤を塗布等して構成してもよいし、また、図示するように両面粘着テープ２３で構成してもよい。両面粘着テープ２３は、一方の面をユニバーサルベース２４の裏面に貼付して、他方の面に容易に剥離可能なシートを有する両面粘着テープを用いることが好ましい。なお、片面に粘着性を有するシート付粘着テープをユニバーサルベース２４の裏面に貼付してもよい。
【００２４】
ユニバーサルアーム２５は、ユニバーサルベース２４の他方の面のほぼ中央部にその軸方向に沿って延在するアーム基部２６の先端部にユニバーサルアーム２５の面に沿って設けられている。ユニバーサルアーム２５の先端部２７は、球状に形成され、この球状の傾倒支持部２７がケース本体１１の固定部材取付部２０に取り付けられている。
【００２５】
固定部材取付部２０には、その軸方向に沿って開口された傾倒凹部（図示せず）が設けられている。傾倒凹部の開口端部は、ユニバーサルアーム２５の傾倒支持部２７が傾倒凹部内へと挿入し得る（押し込める）と共に、傾倒凹部に係合した（取り付けられた）ユニバーサルアーム２５の傾倒支持部２７が容易に傾倒凹部から離脱しない径の円形状に形成されている。
傾倒凹部の内面は、ユニバーサルアーム２５の傾倒支持部２７の径とほぼ同じか若干小さい径の球面状に形成されており、傾倒支持部２７が傾倒凹部内に押し込められて係合することで、ケース４が固定部材２２に傾倒自在に支持されるようになっている。
【００２６】
さて、これらのオリジナルパフューム揮発器１、２、特に第１のオリジナルパフューム揮発器１を用いて、自分の好みの芳香を楽しむ場合について説明する。
【００２７】
まず、図１に示すようにケース本体１０に蓋１２が取り付けられて、このケース本体１０の収容凹部８内に、香料５が保持されていないパフュームボトム６が収容されている場合には、蓋１２をケース本体１０から外して、パフュームボトム６を収容凹部８（ケース本体１０）から取り出す。
【００２８】
香料５が保持されていないパフュームボトム６に、図３に示すように、所望の放香を楽しみたい香料例えば香水５を直接滴下して含浸（保持）させる。なお、本発明の第２のオリジナルパフューム揮発器２の場合には、図５に示すパフュームボトム７に所望の放香を楽しみたい香料例えば香水５を含浸（保持）させる。
【００２９】
香水を保持させたパフュームボトム６、７をケース本体１０、１１の収容凹部８、９内に収容する。収容後、図１に示すように、蓋１２、１３をケース本体１０、１１に取り付けて収容凹部８、９を閉塞する。
【００３０】
このように、所望の香水５を保持させたパフュームボトム６、７をケース３、４内に収容することにより、このケース３、４を持ち歩くと、パフュームボトム６、７に保持させた香水５が自然に揮発して、放香部１６、２１からケース３、４の外部に発散する。つまり、パフュームボトム６に保持させた香料５からの放香がケース３の外部に発散するので、自分の好みの放香を楽しむことができる。
【００３１】
また、香水（香料）５を保持させたパフュームボトム６、７をケース３、４内に収容するため、香水５が直接衣服等についたりすることがないので、気軽に放香を楽しめる。
【００３２】
また、所望の香水５を保持させたパフュームボトム６、７をケース３、４内に収容した後で、その香水５と違う香水の放香を楽しみたい場合には、パフュームボトム６、７をケース３、４から取り出して例えば保持させた香水５を洗浄等して除去する。このように、衣服をクリーニング等に出すことなくパフュームボトム６、７だけを例えば洗浄さえすれば、違う放香の香水を楽しむことができる。また、パフュームボトム６、７を複数備えれば、香水５を保持させたパフュームボトム６、７をケース３、４から取り出し、香料を保持させていない別のパフュームボトム６、７に違う放香の香水を保持させてからケース３、４に収容すれば、違う放香の香水を楽しめるので、一層気軽に自分の好みの放香を楽しめる。
【００３３】
したがって、本発明のオリジナルパフューム揮発器１、２は、気軽に自分の好みの放香を楽しむことができるものであると共に、気軽にいろいろな放香を楽しむこができるものである。
【００３４】
また、パフュームボトム（保持体）６、７が、香料を繰り返し保持し得る保持体であると、つまり、保持させた香料の全部又はほぼ全部が放香した後、同じ香料又は異なる香料を保持することができるものであると、再度同じ香料又は別の香料を保持させられるので、繰り返して利用することができ、汎用性が高いものである。
【００３５】
また、ケース本体１０の大径部１５側の端面（装着面）に取付手段１８を設けたり、ケース本体１１の固定部材取付部２０に、取付手段２３を有する支持部材２２を取り付けることにより、本発明のオリジナルパフューム揮発器１、２を任意の箇所に固着（固定）等することができるので、自動車等の動く空間等にも安定して、所望の放香を発散することができる。これによって、トイレ・居間等の建物内や自動車の車内においても気軽に所望の放香を楽しむことができることになり、本発明のオリジナルパフューム揮発器１、２は、汎用性が高いものである。
【００３６】
また、図４及び図５に示すように、支持部材２２は、ケース４を固定等すると共に、傾倒自在に支持しているため、ケース４を任意の状態に可変させることができる。このため、香水の放香の位置や角度を変えられるので、より快適な空間等が得られることになる。
【００３７】
図６乃至図８は、本発明の第３のオリジナルパフューム揮発器が示されている図である。図６乃至図８において、３０は第３のオリジナルパフューム揮発器を示し、この第３のオリジナルパフューム揮発器３０と前記第１のオリジナルパフューム揮発器１との異なるところは、パフュームボトム（保持体）３１を吊下げ部材３２により吊下げ可能にした点である。なお、前記第１のオリジナルパフューム揮発器１と同一機能の部材には同一名称を付し、その説明を省略する。
【００３８】
吊下げ部材３２は、パフュームボトム（保持体）３１を吊下げ支持することができるならばどのようなものでもよい。
吊下げ部材３２は、具体的には、図示するように、紐体例えばループ状の細紐や太紐等である。この紐体は、例えば手首にかけたり、手や指で持ったりするのに適した大きさのループ状の細紐や太紐や、首等に掛けられるべく人の頭部を挿通可能な大きさのループ状の太紐等である。
また、吊下げ部材３２としては、紐体等の長尺部材の一端部等に吸盤、吸着シート、クリップ、フック部材等の吊下げ支持体を取り付けたものでもよい。その長尺部材は、例えば、細紐、太紐、コイル状等の弾性を有する弾性形状の紐体等である。
【００３９】
パフュームボトム（保持体）３１は、液状の香料５を保持して（含んで、含浸して）、その香料５の全部又はほぼ全部を自然に徐々に放香させることができるならばどのようなものでもよいが、吊下げ部材３２により吊下げ支持されるため、比較的軽量のものがよい。パフュームボトム（保持体）３１としては、具体的には例えば、紙やパルプ又はこれらの混合物、海綿体状物からなるものがよい。
このパフュームボトム（保持体）３１は、無香であるもの又は香料の放香を妨げない微香であるものであることが好ましい。また、パフュームボトム（保持体）３１は、香料を繰り返し保持し得る保持体である（保持させた香料の全部又はほぼ全部が放香した後、同じ香料又は異なる香料を保持することができる）ものであることが好ましい。
【００４０】
パフュームボトム（保持体）３１の形状は、どのように形成してもよいが、例えば、キャラクター形状、自動車の形状、動植物の形状等の周知の形状に形成してもよい。具体的には、図６に示すように、キャラクター形状に形成してもよいし、図７及び図８に示すように、葉の形に形成してもよい。
【００４１】
この第３のオリジナルパフューム揮発器３０を用いて、自分の好みの芳香を楽しむには、香料５が保持されていないパフュームボトム３１に、図６乃至図８に示すように、所望の放香を楽しみたい香料例えば香水５を直接滴下して含浸（保持）させる。
【００４２】
このように、所望の香水５を保持させたパフュームボトム３１を吊下げ部材３２により吊下げ支持することにより、パフュームボトム３１に保持させた香水５が自然に揮発して発散するので、自分の好みの放香を楽しむことができる。
【００４３】
また、香水（香料）５をパフュームボトム３１に保持させるため、香水５が直接衣服等につきにくいので、気軽に放香を楽しめる。
【００４４】
また、所望の香水５をフュームボトム３１に保持させた後で、その香水５と違う香水の放香を楽しみたい場合には、香料を保持させていない別のパフュームボトム３１に違う放香の香水を保持させれば、違う放香の香水を楽しめるので、一層気軽に自分の好みの放香を楽しめる。
【００４５】
したがって、本発明のオリジナルパフューム揮発器３０は、安価で気軽に自分の好みの放香を楽しむことができるものであると共に、気軽にいろいろな放香を楽しむこができるものである。
【００４６】
また、パフュームボトム（保持体）３１が、香料を繰り返し保持し得る保持体であると、つまり、保持させた香料の全部又はほぼ全部が放香した後、同じ香料又は異なる香料を保持することができるものであると、再度同じ香料又は別の香料を保持させられるので、繰り返して利用することができ、汎用性が高いものである。
【００４７】
【発明の効果】
本発明により気軽に自分の好みの芳香を楽しむことができる。
【図面の簡単な説明】
【図１】本発明の第１のオリジナルパフューム揮発器の一例を示す斜視図である。
【図２】本発明の第１のオリジナルパフューム揮発器の一例を示す分解斜視図である。
【図３】本発明のパフュームボトムに任意の香水を含浸させる一例を示す斜視図である。
【図４】本発明の第１のオリジナルパフューム揮発器の一例を示す斜視図である。
【図５】本発明の第１のオリジナルパフューム揮発器の一例を示す分解斜視図である。
【図６】本発明の第３のオリジナルパフューム揮発器の一例を示す斜視図である。
【図７】本発明の第３のオリジナルパフューム揮発器の他の例を示す斜視図である。
【図８】本発明の第３のオリジナルパフューム揮発器の他の例を示す斜視図である。
【符号の説明】
１、２      オリジナルパフューム揮発器
３、４      ケース
５          香料
６、７      パフュームボトム
８、９      収容凹部
１０、１１  ケース本体
１２、１３  蓋
１８、２３  取付手段
【図１】
2004209005.tif 000003
【図２】
2004209005.tif 000004
【図３】
2004209005.tif 000005
【図４】
2004209005.tif 000006
【図５】
2004209005.tif 000007
【図６】
2004209005.tif 000008
【図７】
2004209005.tif 000009
【図８】
2004209005.tif 000010